(57)【要約】      （修正有）【課題】シャワー器と結合具が容易に回転して、ホースがねじれなくなるメタルホースシャワーヘッド連結具の提供。【解決手段】ホースの内周縁に差し込まれる下端本体が形成され、下端本体の上部に周縁部に突出される本体フランジ１１２が形成され、本体フランジ１１２の上部に上端本体が形成される連結具本体１１０と、本体フランジ１１２の上端に乗せられ、中央には上端本体の周縁部に中央が差し込まれる金属薄板からなるドーナツ状のトークン１２０と、トークン１２０の上端に乗せられ、リング状のパッキング１３０と、連結具本体１１０の上端本体の上端周縁部に固定され、合成樹脂材の薄板からなる本体上部固定具で固定されるメタルホースシャワーヘッド連結具。【選択図】図３
2020014537.tif 000002
【特許請求の範囲】
【請求項１】
シャワーヘッド１の下端とねじ結合され、下端にホースの上端周縁部が乗せられる下端固定段顎３１０が形成された結合具３００に含まれる連結具１００において、
前記ホース２００の内周縁に差し込まれる下端本体１１１が形成され、前記下端本体１１１の上部に周縁部に突出される本体フランジ１１２が形成され、前記本体フランジ１１２の上部に上端本体１１３が形成される連結具本体１１０と、
前記本体フランジ１１２の上端に乗せられ、中央には上端本体１１３の周縁部に中央が差し込まれる金属薄板からなるドーナツ状のトークン１２０と、
前記トークン１２０の上端に乗せられ、リング状のパッキング１３０と、
前記連結具本体１１０の上端本体１１３の上端周縁部に固定され、合成樹脂材の薄板からなる本体上部固定具１１５で固定されることを特徴とするメタルホースシャワーヘッド連結具。
【請求項２】
シャワーヘッド１の下端とねじ結合され、下端にホースの上端周縁部が乗せられる下端固定段顎３１０が形成された結合具３００に含まれる連結具１００において、
前記ホース２００の内周縁に差し込まれる下端本体１１１が形成され、前記下端本体１１１の上部に周縁部に突出される本体フランジ１１２が形成され、前記本体フランジ１１２の上部に上端本体１１３が形成される連結具本体１１０と、
前記本体フランジ１１２の上端に乗せられ、中央には上端本体１１３の周縁部の中央が差し込まれる金属薄板からなるドーナツ状のトークン１２０と、
前記トークン１２０の上端に乗せられ、リング状のパッキング１３０が形成されることを特徴とするメタルホースシャワーヘッド連結具。
【請求項３】
前記パッキング１３０の断面の形状は上方に開口したコ字状に形成され、左側楔と右側楔が形成されることを特徴とする請求項１または請求項２に記載のメタルホースシャワーヘッド連結具。
【発明の詳細な説明】
【技術分野】
【０００１】
本発明はメタルホースシャワーヘッド連結具に関し、より詳しくは、メタルホースの先端に固定され、シャワーヘッドの下端と連結される際に使用される連結具を完全に密閉することができながらも、簡単に回転してメタルホースがねじれることが防止されるメタルホースシャワーヘッド連結具に関する。
【背景技術】
【０００２】
シャワーは基本的な身体の衛生はもちろん、皮膚の美容に役に立ち、日常で疲れた心身を弛緩して、精神の健康にも役に立つ役割を果たすことが分かる。
【０００３】
前記シャワーのために、従来は水道管を介して吐出された水を細かく刻んで噴射するノズルが形成されるシャワー器が提供されていた。
【０００４】
前記従来のシャワー器は、水道管と連結されるホースと先端にノズルが形成されるシャワーヘッドで構成される。
【０００５】
前記シャワーヘッドの内部には管路が形成され、上端の先端にノズルが形成され、下端の先端はホースと連結される。
【０００６】
前記ホースは、従来は合成樹脂材のホースを使用していたが、最近は合成樹脂材のホースを内部に含み、外殻にはステンレス材質の金属線を巻いたメタルホースが形成されている。
【０００７】
前記メタルホースは内部にホースが形成され、前記ホースの周縁部に保護ホースが形成されるが、前記保護ホースの外殻に金属線が巻かれて形成される。
【０００８】
前記シャワーヘッドとメタルホースを連結するためには、メタルホースの先端に突出されたナット部が形成されるが、前記ナット部にはシャワーヘッドの下端の先端に形成されるボルト部が結合されてシャワー器が形成される。
【０００９】
しかし、シャワーヘッドを使用するに当たって、使用者が回転方向を一定にせず、メタルホースがねじれ続けるためそれを直すことが難しい問題点があった。
【００１０】
前記問題点を解決するために、特許文献１及び特許文献２などにねじれ防止具が形成されたシャワー器が提供されている。
【００１１】
従来のシャワーヘッド連結用ねじれ防止具は、図１、２を参照すると、シャワーヘッド１とメタルホース２を連結する連結仕上げキャップ３と、前記連結仕上げキャップ３の内側の下部面に収容結合されるねじれ防止部材４で構成され、
前記ねじれ防止部材４には、メタルホースと連結されるホース連結台４１が形成され、前記ホース連結台の上端に突出されたパッキング固定片４１１が形成されるが、前記パッキング固定片４１１の上部にＵ字型の水密パッキング４２が乗せられ、前記Ｕ字型の水密パッキング４２を内部に収容しながら周縁部に固定密閉リング４３３が形成される密閉固定具４３が形成されて構成される。
【先行技術文献】
【特許文献】
【００１２】
【特許文献１】大韓民国特許庁登録実用新案公報  第０２８８７５７号
【特許文献２】大韓民国特許庁登録特許公報  第１６７６５９５号
【発明の概要】
【発明が解決しようとする課題】
【００１３】
しかし、従来のシャワーヘッド連結用ねじれ防止具には、以下のような問題点があった。
【００１４】
第一、水圧がかかるとＵ字型の水密パッキングの中央部分に水がいっぱい溜まるようになり、水密パッキングの内部の下端を強く押すようになって、ホース連結台のパッキング固定片との摩擦力が増加して、この部分が自由に回転できないため、メタルホースがねじれるようになる。
【００１５】
第二、密閉固定具がホース連結台の上端周縁部を全て囲み、この部分に別途の固定密閉リングが必要なため、製品が複雑なって逆に回転を妨げるようになるため、ねじれ防止がうまくできなくなる。
【課題を解決するための手段】
【００１６】
上述した問題点を解決するために、本発明は、シャワー器の下端とねじ結合され、下端にホースの上端周縁部が乗せられる下端固定段顎が形成された結合具に含まれる連結具において、
前記ホースの内周縁に差し込まれる下端本体が形成され、前記下端本体の上部に周縁部に突出される本体フランジが形成され、前記本体フランジの上部に上端本体が形成される連結具本体と、
前記本体フランジの上端に乗せられ、中央には上端本体の周縁部に中央が差し込まれる金属薄板からなるドーナツ状のトークンと、
前記トークンの上端に乗せられ、断面の形状が上方に開口したコ字状のリング状からなるパッキングと、
前記連結具本体の上端本体の上端周縁部に固定され、合成樹脂材の薄板からなる本体上部固定具で固定されることを特徴とする。
【発明の効果】
【００１７】
本発明のメタルホースシャワーヘッド連結具にようと、以下のような効果が発生する。
【００１８】
第一、パッキングの形態が上端両側面で線接触するように形成されており、圧力がかかる際に上端本体の外壁と結合具の内壁との摩擦力が最小化され、下端はトークンと摩擦されるが、トークンの摩擦係数が低く全体的にホースが回転せず、シャワー器と結合具が容易に回転するようになるため、ホースがねじれなくなる。
【００１９】
第二、パッキング一つで水密が完璧に行われるため別途のパッキングを必要とせず、製品が簡単になる。
【図面の簡単な説明】
【００２０】
【図１】従来のシャワーヘッド連結用ねじれ防止具の断面概念図である。
【図２】従来のシャワーヘッド連結用ねじれ防止具の分離断面図である。
【図３】本発明の好ましい実施例で形成されるメタルホースシャワーヘッド連結具の斜視図である。
【図４】本発明の好ましい実施例で形成されるメタルホースシャワーヘッド連結具の分離斜視図である。
【図５】本発明の好ましい実施例で形成されるメタルホースシャワーヘッド連結具を結合具に連結した状態の斜視断面図である。
【図６】本発明の好ましい実施例で形成されるメタルホースシャワーヘッド連結具の結合概念図である。
【発明を実施するための形態】
【００２１】
本発明は、シャワーヘッド１の下端とねじ結合され、下端にホースの上端周縁部が乗せられる下端固定段顎３１０が形成された結合具３００に含まれる連結具１００において、
前記ホース２００の内周縁に差し込まれる下端本体１１１が形成され、前記下端本体１１１の上部に周縁部に突出される本体フランジ１１２が形成され、前記本体フランジ１１２の上部に上端本体１１３が形成される連結具本体１１０と、
前記本体フランジ１１２の上端に乗せられ、中央は上端本体１１３の周縁部の中央が差し込まれる金属薄板からなるドーナツ状のトークン１２０と、
前記トークン１２０の上端に乗せられ、断面の形状が上方に開口したコ字状、特に次のような形状、
2020014537.tif 000003
のリング状からなるパッキング１３０と、
前記連結具本体１１０の上端本体１１３の上端周縁部に固定され、合成樹脂材の薄板からなる本体上部固定具１１５で固定される。
【００２２】
本発明の連結具１００は、中央の孔が形成される連結具本体１１０の本体フランジ１１２の上端にトークン１２０が、その上端にパッキング１３０が乗せられ、本体上部固定具１１５が連結具本体１１０の上端本体１１３の上端周縁部に固定されてトークン１２０とパッキング１３０が抜けられないように形成される。
【００２３】
前記連結具本体１１０は、中央に中空が形成されてホース２００から流入される水が通過されるように形成される。
【００２４】
前記連結具本体１１０には中空の円形棒の周縁部に突出される本体フランジ１１２が形成され、前記本体フランジ１１２の下部には下端本体１１１が形成される。
【００２５】
前記下端本体１１１の外周縁には内部ホース２３０の内径から抜けられないように楔が形成される。
【００２６】
前記連結具本体１１０の上部には上端本体１１３が形成され、前記上端本体１１３の上端の先端には本体上部固定具１１５が接着固定される。
【００２７】
前記本体上部固定具１１５は形成されなくてもよいが、もし本体上部固定具１１５が形成されなければ、上端本体１１３の上部の先端に外周縁に突出される段顎が形成されてもよい。
【００２８】
前記ホース２００には中央に内部ホース２３０が形成され、前記内部ホース２３０の外周縁には鋼線ホース２２０が形成されるが、前記鋼線ホース２２０の外周縁にはメタル２１０が形成される。
【００２９】
前記トークン１２０は金属薄板からなり、前記本体フランジ１１２の上端に乗せられるように形成される。
【００３０】
前記パッキング１３０は中央に孔が形成されるリング状に形成されるが、その断面の形状が上方に開口したコ字状に形成される。
【００３１】
前記パッキング１３０の断面から見ると、左側上端、つまり、連結具本体１１０の上端本体１１３の外壁に当たる部分が線接触するように左側楔が形成され、右側上端、つまり、結合具３００の内壁に当たる部分が線接触するように右側楔が形成される。
【００３２】
前記パッキング１３０の上部に水が入ると、上端に形成された溝に水が溜まるようになり、圧力が内部全体に及ぶようになる。
【００３３】
特に、パッキング１３０の下部に圧力が加わるようになるが、トークン１２０の上部を強く押してトークン１２０と共に回転することができる。
【００３４】
以下、本発明の好ましい実施例によって形成されたメタルホースシャワーヘッド連結具の作動を説明すると以下のようである。
【００３５】
前記シャワーヘッド１の下端にはボルトが形成され、前記結合具３００の下端に形成された下端固定段顎３１０にホース２００の上端周縁部がかかるように形成されて、前記ホース２００の上端周縁部が内挿される。
【００３６】
前記ホース２００の内部ホース２３０には連結具本体１１０の下端本体１１１が挿入されるが、前記下端本体１１１の周縁部に形成された楔によって抜けられなくなる。
【００３７】
前記連結具本体１１０は、本体フランジ１１２の上端にトークン１２０とパッキング１３０が乗せられ、その上端に本体上部固定具１１５が連結具本体１１０の上端周縁部に固定されて形成される。
【００３８】
この際、前記パッキング１３０の右側楔部分は本体上部固定具１１５より外周縁に突出して形成される。
【００３９】
後に、前記シャワーヘッド１の下端を結合具３００に差し込むと、シャワーヘッド１の下端が連結具本体１１０の本体上部固定具１１５の上部に固定される。
【００４０】
前記のように組み立てられた状態でホース２００から水が流入されると、水がシャワーヘッド１に流入されると共に、連結具本体１１０の本体上部固定具１１５の周縁部に沿って尾あっキング１３０上部の内部に流入される。
【００４１】
前記パッキング１３０上部の内部に流入された水はパッキング１３０全体に圧力を加えるようになるが、この際、ホース２００を回転させればパッキング１３０とトークン１２０は摩擦係数が高くて共に回転するが、トークン１２９と本体フランジ１１２は摩擦係数が低くて容易に回転される。
【００４２】
また、パッキング１３０の左側楔と右側楔は、それぞれ本体１１３の外壁と結合具３００の下端内壁との摩擦が最小化（線接触）される。
【００４３】
本発明メタルホースシャワーヘッド連結具によると、パッキングの形態が上端両側面で線接触されるように形成されており、圧力が加わる際の上端本体の外壁と結合具の内壁との摩擦力が最小化され、下端はトークンと摩擦されるが、トークンの摩擦係数が低いため全体的にホースが回転せず、シャワー器と結合具が容易に回転するようになるためホースがねじれなくなり、パッキング一つで水密が完璧に行われるため、別途のパッキングを必要としないため製品が簡単になどの効果が発生する。
【００４４】
本発明は添付した図面を参照して好ましい実施例を中心に記述されたが、当業者にとって、このような記載から後述する特許請求の範囲によって包括される本発明の範疇を逸脱しない限り多様な変形が可能であることは自明である。
【符号の説明】
【００４５】
１：シャワーヘッド
１００：連結具
１１０：連結具本体
１１１：下端本体
１１２：本体フランジ
１１３：上端本体
１１５：本体上部固定具
１２０：トークン
１３０：パッキング     
２００：ホース
２１０：メタル
２２０：鋼線ホース
２３０：内部ホース
３００：結合具
【図１】
2020014537.tif 000004
【図２】
2020014537.tif 000005
【図３】
2020014537.tif 000006
【図４】
2020014537.tif 000007
【図５】
2020014537.tif 000008
【図６】
2020014537.tif 000009